(57)【要約】【課題】短時間で容易に作業が行えるとともに、固定位置に柔軟性を持たせて、確実に壁に固定する。【解決手段】表示装置を取り付けるためのユニット型壁システムは、格子状の複数のフレーム３０を組み合わせたフレーム部材と、フレーム部材に取り付けられるとともに、壁に固定される複数の取付具６０と、を備え、フレーム３０の各辺それぞれには、所定の間隔ごとに、隣接するフレーム同士を組み合わせるための取付孔３０１が複数形成され、コ字状に屈曲した形状の取付具６０の一対の対向面それぞれには、対向位置にフレーム３０に取り付けられるための取付孔６１４が形成され、両対向面を連設する連設面には、連設方向に伸長した長孔形状の取付孔６１１〜６１３が形成され、取付具６０は、取付孔３０１及び６１４を介して所定のフレーム３０にネジ止めされるとともに、取付孔６１１〜６１３を介して壁にネジ止めされて固定される。【選択図】図７
2010063650.tif 000002
【特許請求の範囲】
【請求項１】
表示装置を取り付けるためのユニット型壁システムであって、
格子状の複数のフレームを組み合わせることによって形成されるフレーム部材と、
前記フレーム部材に取り付けられるとともに、壁に固定される１又は複数の取付具と、を備え、
前記複数のフレームの各辺それぞれには、所定の間隔ごとに、隣接するフレーム同士を組み合わせるための第１取付孔が複数形成され、
前記取付具は、コ字状に屈曲した形状を有する部材であり、
前記取付具の一対の対向面それぞれには、対向位置に前記フレームに取り付けられるための第２取付孔が形成され、
前記取付具の両対向面を連設する連設面には、当該連設面の連設方向に伸長した長孔形状の第３取付孔が形成され、
前記取付具は、第１取付孔及び第２取付孔を介して所定の前記フレームにネジ止めされるとともに、前記第３取付孔を介して前記壁にネジ止めされて固定されることを特徴とするユニット型壁システム。
【請求項２】
前記第３取付孔は、
複数の長孔で構成され、かつ、各長孔は、隣接する長孔とは、前記連設方向に垂直な方向に離間して配置されていることを特徴とする請求項１記載のユニット型壁システム。
【請求項３】
前記第２取付孔は、所定の方向に伸長した長孔であることを特徴とする請求項１又は２記載のユニット型壁システム。
【請求項４】
前記取付具の連設面の連設方向の長さは、前記フレームの各格子の一方向の長さと略同一であり、
前記取付具は、前記所定の前記フレームの前記一方向に沿って対向する所定の１対の第１取付孔それぞれに前記取付具の前記第２取付孔それぞれを重ね合わせて、前記所定の前記フレームにネジ止めされることを特徴とする請求項１乃至３のいずれか１項に記載のユニット型壁システム。
【請求項５】
前記各格子は正方形を形成し、
前記取付具は、前記連接方向を前記格子の縦方向としても、横方向としても前記フレームに取り付け可能であることを特徴とする請求項４記載のユニット型壁システム。
【請求項６】
前記取付具は、
前記フレーム部材を前記壁に固定するための第１取付具と、
前記表示装置を前記フレーム部材に取り付けるための第２取付具と、
を備え、
前記第２取付具の一対の対向面それぞれは、
前記第１取付孔及び第２取付孔を介して前記フレームにネジ止めされるとともに、
前記第２取付具の連設面は、
前記第３取付孔を介して前記表示装置の裏面にネジ止めされることを特徴とする請求項１乃至５のいずれか１項に記載のユニット型壁システム。
【請求項７】
前記フレームに着脱可能な格子状の複数のパネルを備えることを特徴とする請求項１乃至６のいずれか１項に記載のユニット型壁システム。
【請求項８】
表示装置を取り付けるためのユニット型壁システムであって、
格子状の複数のフレームを組み合わせることによって形成されるフレーム部材と、
前記フレーム部材に取り付けられるとともに、壁に固定される１又は複数の取付具と、を備え、
前記複数のフレームの各辺それぞれには、所定の間隔ごとに、隣接するフレーム同士を組み合わせるための第１取付孔が複数形成され、
前記取付具は、
Ｌ字状に屈曲した形状を有する部材であり、
前記取付具の一端を有する面には、前記フレームに取り付けられるための第２取付孔が形成され、
前記取付具の他端を有する面には、長手方向に伸長した長孔形状の第３取付孔が形成され、
前記取付具は、前記第１取付孔及び第２取付孔を介して所定の前記フレームにネジ止めされるとともに、前記第３取付孔を介して前記壁にネジ止めされることを特徴とするユニット型壁システム。
【発明の詳細な説明】
【技術分野】
【０００１】
本発明は、例えば、薄型ＴＶなどの表示装置を取り付けるユニット型の壁システムに関する。
【背景技術】
【０００２】
昨今、大型の薄型ＴＶを室内に設置するに際して、大型の薄型ＴＶを収納したシステム家具を壁一面に取り付けて固定したりする場合がある。このようなシステム家具を壁に取り付ける工事は、設置現場での作業となるため、作業の確実性や迅速性が望まれる。
【発明の開示】
【発明が解決しようとする課題】
【０００３】
ところで、従来のシステム家具は、箱型の形状を有するのが一般的であるため、システム家具を壁に固定する際には、例えば、システム家具の背面に孔を開けて、ボルト等の固定部品でシステム家具を壁に固定したりしている。しかしながら、この場合には、作業者は固定部品の壁への打ち付け位置を直接視認することができないので、システム家具と壁が確実に密着して固定されているかどうかわからないという問題がある。
【０００４】
特に、壁には、壁の構造上、固定部品を打ち付けることができない場所（例えば、躯体でない強度が弱い場所）があるので、壁を直接視認できない状況下では、このような場所の判断も困難である。
【０００５】
また、例えば、Ｌ字金具などの取付具を介して、システム家具を壁に固定する場合には、システム家具の上面または側面を利用して壁に固定するため、取付具の設置位置が所定の範囲内に限定されてしまうという問題がある。また、上述した壁の構造を鑑みると、取付具の設置範囲はさらに限定されてしまう。すなわち、この場合には、取付具の設置位置に柔軟性がなく、作業者は、システム家具を任意の位置で壁に固定することができないという問題がある。
【０００６】
また、壁は木製であれ、鉄筋であれ、厳密には平らに形成されていないため、取付具の設置範囲が限定されている状況下では、取付具を平らでない位置に固定せざるを得ない場合もある。
【０００７】
さらには、システム家具を壁に固定する作業工程は、システム家具を組み立てる作業工程とは別であるため、そのための部品や作業時間がさらに必要となるという問題もある。
【０００８】
このように、従来の箱型の形状を有するシステム家具を壁に固定する場合には、作業の確実性や迅速性が担保されないという問題があった。
【０００９】
本発明は、上記の事情を鑑みてなされたものであり、その課題の一例としては、短時間で容易に作業が行えるとともに、固定位置に柔軟性を持たせて、確実に壁に固定することができる、表示装置を取り付けるためのユニット型壁システムを提供することにある。
【課題を解決するための手段】
【００１０】
上記の課題を達成するため、請求項１に係る発明は、表示装置を取り付けるためのユニット型壁システムであって、格子状の複数のフレームを組み合わせることによって形成されるフレーム部材と、前記フレーム部材に取り付けられるとともに、壁に固定される１又は複数の取付具と、を備え、前記複数のフレームの各辺それぞれには、所定の間隔ごとに、隣接するフレーム同士を組み合わせるための第１取付孔が複数形成され、前記取付具は、コ字状に屈曲した形状を有する部材であり、前記取付具の一対の対向面それぞれには、対向位置に前記フレームに取り付けられるための第２取付孔が形成され、前記取付具の両対向面を連設する連設面には、当該連設面の連設方向に伸長した長孔形状の第３取付孔が形成され、前記取付具は、第１取付孔及び第２取付孔を介して所定の前記フレームにネジ止めされるとともに、前記第３取付孔を介して前記壁にネジ止めされて固定されることを特徴とする。
【００１１】
また、請求項８に係る発明は、表示装置を取り付けるためのユニット型壁システムであって、格子状の複数のフレームを組み合わせることによって形成されるフレーム部材と、前記フレーム部材に取り付けられるとともに、壁に固定される１又は複数の取付具と、を備え、前記複数のフレームの各辺それぞれには、所定の間隔ごとに、隣接するフレーム同士を組み合わせるための第１取付孔が複数形成され、前記取付具は、
Ｌ字状に屈曲した形状を有する部材であり、前記取付具の一端を有する面には、前記フレームに取り付けられるための第２取付孔が形成され、前記取付具の他端を有する面には、長手方向に伸長した長孔形状の第３取付孔が形成され、前記取付具は、前記第１取付孔及び第２取付孔を介して所定の前記フレームにネジ止めされるとともに、前記第３取付孔を介して前記壁にネジ止めされることを特徴とする。
【発明を実施するための最良の形態】
【００１２】
以下、本発明の実施の形態を図面を用いて説明する。
【００１３】
図１は、本発明の実施の形態に係る、表示装置２を取り付けるためのユニット型壁システム（以下、ユニット型壁システムと略す）１の正面図、図２は、ユニット型壁システム１からパネル部材５を取り外した状態におけるユニット型壁システム１の正面図、図３は、図２の状態から外枠４を外した状態におけるユニット型壁システム１の右側面図である。なお、図１〜図３に示すユニット型壁システム１は、表示装置２を取り付けた状態の構成を示している。
【００１４】
ユニット型壁システム１は、例えば、大型の薄型ＴＶなどの表示装置２やスピーカを取り付け可能なユニット型の壁システムであり、壁に固定されて自立するタイプ（図３参照）のシステム家具である。すなわち、ユニット型壁システム１は、表示装置２やスピーカを取り付けることによって、薄型オーダーメイド・ホームシアター・システムを構成するようになっている。
【００１５】
ユニット型壁システム１は、概略、ユニット型壁システム１の骨組みを形成するフレーム部材３と、フレーム部材３の外側に配設される外枠４と、フレーム部材３の前面に着脱可能な意匠を施したパネル部材５と、表示装置２をフレーム部材３に固定したり、フレーム部材３を壁に固定したりするための取付部材６と、備えている。
【００１６】
表示装置２は、例えば、プラズマディスプレイであるが、プラズマディスプレイに限定されず、液晶テレビ、リアプロジェクションなど、大型の薄型テレビであればいずれであってもよい。
【００１７】
フレーム部材３は、格子状のフレーム３０を複数、組み合わせることにより形成されている。図４は、ユニット型壁システム１の中核を構成するフレーム部材３及び取付部材６の分解斜視図である。本実施の形態においては、図４に示すように、同一のフレーム３０を６つ組み合わせることによりフレーム部材３を構成するようになっている。詳しくは、上段右位置のフレーム３１、上段中位置のフレーム３２、上段左位置のフレーム３３、下段右位置のフレーム３４、下段中位置のフレーム３５、及び下段左位置のフレーム３６をネジ止めして組み立てることにより、１つのフレームを構成している。なお、以下においては、特定のフレームについて説明するときは、フレーム３１〜３６と表記し、全フレームに共通する構成や機能について説明するときは、フレーム３０と表記する。
【００１８】
フレーム３０は、スチール製の角パイプを用いて、日の字状に形成されている。フレーム３０により形成される２つの格子は、それぞれ正方形の形状をなし、フレーム３０の各辺には、所定の間隔をあけて複数の取付孔３０１が形成されている。この取付孔３０１は隣接するフレーム３０（または外枠４）をネジ止めするための孔であるとともに、取付部材６をフレーム３０に取り付けるための孔である。
【００１９】
すなわち、本実施の形態においては、フレーム３０を組み合わせるために形成された取付孔３０１をそのまま流用して、取付部材６をフレーム３０に取り付けるようになっているので、ネジなどの部品点数を減らすことができるとともに、フレームを組み立てる作業工程とフレームを壁に固定する作業工程を同時に進めることができ、作業の迅速化を図ることができる。
【００２０】
なお、本実施の形態においては、６つのフレーム３０を用いてフレーム部材３を構成しているが、用いられるフレーム３０の数はこれに限定されず、構成するフレーム部材３の大きさに合わせて、組み合わせるフレーム３０の数は自由に設定可能である。また、本実施の形態のフレーム３０は、取付孔３０１をフレーム３０の各辺に２箇所設ける構成としていたが、取付孔３０１の数はこれに限定されず、３つ以上を設ける構成としてもよい。３つ以上の取付孔３０１をフレーム３０の各辺に設けた場合には、取付部材６の高さ方向の設置位置をさらにきめ細かく設定することができる。また、本実施の形態のフレーム３０においては、格子の形状を正方形としたが、格子の形状はこれに限定されない。
【００２１】
外枠４は、フレーム部材３の外側に配設される木枠部材である。外枠４上には、フレーム部材３の外周に形成された取付孔３０１の位置に合わせて、複数の取付孔（図示せず）が形成されており、この取付孔を介して、フレーム部材３と外枠４はネジ止めされて固定される。
【００２２】
パネル部材５は、複数のパネル５０からなり、各パネル５０は、フレーム３０のそれぞれの格子の大きさに合わせて形成されたファブリックパネルである。すなわち、パネル５０は正方形のパネルであり、本実施の形態では、図１に示すように、１２枚のパネル５０によりパネル部材５を構成している。なお、各パネル５０は、例えば、樹脂、木、金属などの素材を用いて、その表面を意匠面として施したパネルであり、裏面にはスピーカなどを内蔵するようにしてもよい。
【００２３】
また、各パネル５０は、フレーム３０のそれぞれの格子枠に係合可能に構成されており、これにより、パネル部材５は、フレーム部材３に容易に着脱可能になっている。そのため、本実施の形態においては、ユニット型壁システム１を構築後であっても、機器類の配線の変更や確認が容易となっている。なお、本実施の形態においては、フレーム３０の各格子前面の一辺（上辺）に設けたレールにパネル５０の裏面の一辺（上辺）に形成された係合突起が係合することにより、パネル５０はフレーム３０に取り付けられている。勿論、他の係合方法により、パネル部材５をフレーム部材３に着脱可能に構成してもよい。例えば、マジックテープ(登録商標)により、パネル部材５をフレーム部材３に着脱可能に構成してもよい。
【００２４】
取付部材６は、本実施の形態においては、６つの取付具６０で構成されている。すなわち、取付部材６は、図４に示すように、フレーム部材３を壁に固定するための取付具６１、６２、６３及び６４と、表示装置２をフレーム部材３に取り付けるための取付具７１及び７２を備えている。
【００２５】
図５は、ユニット型壁システム１の中核を構成するフレーム部材３及び取付部材６の上面図であり、取付部材６をフレーム部材３に取り付けた状態を示している。本実施の形態では、取付具６１〜６４は、図２及び図４に示すように、壁の四隅近傍、すなわち、取付具６１はフレーム３１の上方、取付具６２はフレーム３３の上方、取付具６３はフレーム３４の下方、取付具６４はフレーム３６の下方に取り付けられ、また、取付具７１及び７２は、図４に示すように、壁の略中央、すなわち、取付具７１及び７２はフレーム３２の下方に取り付けられるようになっている。また、取付具６１〜６４は、図３〜図５に示すように、背面側（壁側）に金具が突出した状態でフレーム部材３に取り付けられ、また、取付具７１及び７２は、図３〜図５に示すように、前面側に金具が突出した状態でフレーム部材３に取り付けられている。なお、以下においては、特定の取付具について説明するときは、取付具６１〜６４、または７１〜７２と表記し、全取付具に共通する構成や機能について説明するときは、取付具６０と表記する。
【００２６】
図６は、取付具６０の構成を示す図である。図６（ａ）は取付具６０の上面図、図６（ｂ）は正面図、図６（ｃ）は側面図である。
【００２７】
取付具６０は、図４〜図６（ａ）に示すように、コ字状に屈曲したスチール製の金具であり、それぞれ互いに対向して、フレーム３０に当接する対向面（フレーム当接面ともいう）６０１及び６０２と、両対向面６０１及び６０２に略垂直に形成され、対向面６０１と６０２を連設して、壁または表示装置２の背面に当接する連設面（壁当接面ともいう）６０３と、を備えている。
【００２８】
フレーム当接面６０１及び６０２には、図６（ｃ）に示すように、開口側の一端（取付具６０の一端及び他端）にフレーム当接面６０１及び６０２の長手方向（横方向ともいう）に沿って伸長された長孔形状の取付孔６１４が形成されており、この取付孔６１４及びフレーム３０の取付孔３０１を介して、取付具６０はフレーム３０にネジ止め固定される。本実施の形態においては、取付孔６１４がフレーム当接面６０１及び６０２の長手方向に伸長された長孔形状を有することにより、取付具６０をフレーム３０に取り付ける際の奥行き方向の微調整が可能となっている。
【００２９】
壁当接面６０３には、図６（ｂ）に示すように、壁当接面６０３の長手方向（横方向または連設方向ともいう）に沿って伸長された長孔形状の取付孔６１１、６１２及び６１３が形成されており、この取付孔６１１、６１２及び６１３を介して、取付具６０は壁にネジ止め固定される。すなわち、本実施の形態においては、取付孔６１１、６１２及び６１３が壁当接面６０３の長手方向に沿って伸長された長孔形状を有しているので、ネジ止めする際のネジ止め位置を左右方向に柔軟に設定することができるようになっている。この結果、本実施の形態では、例えば、壁の構造上、ネジ止めできないような位置を避けて、取付具６０を壁にネジ止めすることが可能となるので、取付具６０を壁に確実に固定することができる。なお、壁当接面６０３の長手方向（横方向）の長さは、フレーム３０の各格子一辺の長さに略等しく形成されているので、フレーム当接面６０１及び６０２はそれぞれ、フレーム３０の対向位置でフレーム３０に当接可能となっている。
【００３０】
なお、本実施の形態においては、４つの取付具６０を用いて壁に固定するようにしたが、壁に固定するための取付具６０は４つに限定されないし、また、設置位置も上述した４箇所の位置に限定されない。例えば、ユニット型壁システム１の大きさに合わせて取付具６０を１つや２つとしてもよいし、また、５以上としてもよい。
【００３１】
また、本実施の形態の取付孔６１１〜６１３は、ネジ止め位置の自由度と取付具６０の強度を考慮して、隣接する取付孔とは、壁当接面６０３の短手方向（高さ方向、縦方向、連設方向に垂直な方向ともいう）の位置をずらして配置されている。すなわち、取付孔６１１と６１３は、壁当接面６０３の上方かつ同じ高さの位置に配置され、また、取付孔６１２は壁当接面６０３の下方に配置されている。勿論、これとは別の構成として、壁当接面６０３に１つの取付孔を形成してもよく、１つの取付孔を壁当接面６０３の長手方向に沿って伸長させるようにして形成してもよい。
【００３２】
次に、図７を用いて、取付具６０のフレーム３０への取り付け方、取付具６０の壁への取り付け方、表示装置２のフレーム３０への取り付け方について説明する。ここで、図７は、フレーム部材３の一部であるフレーム３１及び３２と、当該フレーム３１及び３２に取り付けられる取付具６１、７１及び７２の外観斜視図である。
【００３３】
作業者は、まず、図７に示すように、フレーム３１及び３２を左右方向に隣接させて組み合わせた後、フレーム３１の取付孔３０１の位置に、取付具６１を背面方向に突出させた状態で、取付孔６１４を重ね合わせて、１対のネジ８１ａ及び８１ｂ（雄ネジ、雌ネジ）で、ネジ止めする。
【００３４】
また、作業者は、フレーム３１及び３２を左右方向に隣接させて組み合わせた後、フレーム３２の取付孔３０１の位置に、取付具７１及び７２を前面方向に突出させた状態で、取付孔６１４を重ね合わせて、１対のネジ８１ａ及び８１ｂ（雄ネジ、雌ネジ）で、ネジ止めする。
【００３５】
これにより、フレーム３１及び３２が組み立てられるとともに、取付具６１、７１及び７２がフレーム部材３に取り付けられる。なお、実際には、取付具６１は、図７において図示されない外枠４とともに取り付けられ、また、取付具７１及び７２は、図７において図示されないフレーム３３とともに取り付けられる。
【００３６】
次に、作業者は、フレーム３１に取り付けられた取付具６１の取付孔６１１、６１２及び６１３を介して、最適な左右位置でネジ８２を挿入し、取付具６１を壁にネジ止めする。この結果、フレーム３１は壁に固定されることとなる。なお、他の取付具６２、６３及び６４のフレーム部材３への取り付け、及び壁への固定も上記と同様の方法で行われる。
【００３７】
次に、作業者は、取付具７１及び７２の取付孔６１１、６１２及び６１３を介して、ネジ８２を挿入し、取付具７１及び７２を表示装置２の背面に形成された取付部（図示せず）に螺合する。この結果、表示装置２はフレーム部材３に固定されることとなる。
【００３８】
このように本実施の形態のユニット型壁システム１によれば、複数のフレーム３０を組み合わせて構成するユニット型の壁システムであり、取付具６をフレーム部材３の任意の場所に取り付けることができるとともに、取付具６を壁に固定する際にも固定位置を柔軟に設定することができるので、設置現場の壁の状況によらず、フレーム部材３を確実かつ簡単に壁に固定することができる。すなわち、本実施の形態のユニット型壁システム１においては、壁を直視できる状況下で、取付具６の最適な固定位置を決定することができ、かつ固定作業ができるので、取付具６を壁に確実に密着させて固定させることが容易に行える。
【００３９】
また、フレーム３０の取付孔３０１は、隣接するフレーム同士を組み合わせるほか、取付具６０をフレーム３０に取り付けるための共用孔なので、フレーム部材３を組み立てる作業工程とフレーム部材３を壁に固定する作業工程を同時に進行させることができ、作業工数及び作業時間の短縮を図ることができる。すなわち、設置現場で新たにフレーム３０に孔を開ける必要もないので、作業工数及び作業時間を減らすことができる。また、固定するためのネジなどの部品の数を少なくすることができる。
【００４０】
なお、本実施の形態のフレーム３０の各格子は上述したように正方形の形状を有するので、図２〜図５及び図７に示したように、取付具６０の壁当接面６０２を横方向に向けて配設するほか、図８に示すように、取付具６０の壁当接面６０２を縦方向に向けて配設することも可能である。すなわち、本実施の形態においては、設置する壁の状況に応じて、取付具６０の配設方向を決定でき、最適の左右位置及び高さ位置で取付具６０を壁に固定することができる。
【００４１】
また、本実施の形態では、取付具６０をコ字状の金具としたが、取付具６０の形状はコ字状に限定されるものではない。例えば、図９に示すようなＬ字状の取付具６０Ａ及び６０Ｂを用いて、フレーム３０を壁に固定するようにしてもよい。取付具６０Ａはフレーム当接面６０１と、フレーム当接面６０１に略垂直な壁当接面６０３Ａを備えており、フレーム当接面６０１には取付孔６１４、壁当接面６０３Ａには取付孔６１１が形成されている。同様にして、取付具６０Ｂはフレーム当接面６０２と、フレーム当接面６０２に略垂直な壁当接面６０３Ｂを備えており、フレーム当接面６０２には取付孔６１４、壁当接面６０３Ｂには取付孔６１３が形成されている。このような取付具６０Ａ及び６０Ｂを用いても、上述したユニット型壁システム１と同一の効果を得ることができる。また、図示しないが、取付具の形状をロ字状として、コ字状の取付具６０よりもさらに強度が増した構造としてもよい。
【００４２】
また、本実施の形態の取付具６０のフレーム当接面６０１及び６０２に形成された取付孔６１４は長孔形状であったが、取付孔６１４の形状はこれに限定されず、例えば、図１０に示すように十字状の長孔としてもよい。このような場合の取付具６０Ｃは、図１１に示すように、Ａ方向（高さ方向）、Ｂ方向（奥行き方向）、及びＣ方向（角度）の調整が可能となり、より柔軟に取付具６０Ｃの壁への設置位置を決定することができる。
【００４３】
また、本実施の形態のユニット型壁システム１の自立性をさらに強化するような構成としてもよい。例えば、図１２に示すように、フレーム３０（下段位置に配置されるフレーム、例えば、図２に示すフレーム３４や３６が好適）にＬ字状の自立補強部材９を組み合わせて、ユニット型壁システム１の自立性をさらに強化するようにしてもよい。この場合には、フレーム３０と自立補強部材９はネジ止めされて固定される。また、図１３に示すように、Ｌ字状の自立補強部材９を２枚組み合わせてＴ字状としてもよい。なお、図１３に示す場合には、自立性がさらに高いので、取付具６０を用いず、ユニット型壁システム１の壁への固定をなくしてもよい。
【００４４】
以上、述べたように本実施の形態のユニット型壁システム１によれば、表示装置２を取り付けるためのユニット型壁システムであって、格子状の複数のフレーム３０を組み合わせることによって形成されるフレーム部材３と、フレーム部材３に取り付けられるとともに、壁に固定される複数の取付具６０と、を備え、複数のフレーム３０の各辺それぞれには、所定の間隔ごとに、隣接するフレーム同士を組み合わせるための取付孔３０１が複数形成され、取付具６０は、コ字状に屈曲した形状を有する部材であり、取付具６０の一対の対向面であるフレーム当接面６０１及び６０２それぞれには、対向位置にフレーム３０に取り付けられるための取付孔６１４が形成され、取付具６０のフレーム当接面６０１及び６０２を連設する連設面である壁当接面６０３には、当該壁当接面６０３の連設方向に伸長した長孔形状の取付孔６１１〜６１３が形成され、取付具６０は、取付孔３０１及び取付孔６１４を介して所定のフレーム３０にネジ止めされるとともに、取付孔６１１〜６１３を介して壁にネジ止めされて固定される。これにより、短時間で容易に作業が行えるとともに、固定位置に柔軟性を持たせて、確実に壁に固定することができる、表示装置を取り付けるためのユニット型壁システムを提供することができる。
【００４５】
また、取付孔６１１〜６１３は、複数の長孔で構成され、かつ、各長孔は、隣接する長孔とは、連設方向に垂直な方向に離間して配置されている。これにより、壁への固定位置を自由に設定できるとともに、取付具６０に強度を持たせることができる。
【００４６】
また、取付孔６１４は、所定の方向に伸長した長孔である。ここで、所定の方向とは、例えば、横方向や縦方向などである。これにより、取付具６０の長孔の伸長した方向への微調整が可能となる。
【００４７】
また、取付具６０の壁当接面６０３の連設方向の長さは、フレーム３０の各格子の一方向の長さと略同一であり、取付具６０は、所定のフレーム３０の一方向に沿って対向する所定の１対の取付孔３０１それぞれに取付具６０の取付孔６１４それぞれを重ね合わせて、所定のフレーム３０にネジ止めされる。これにより、取付具６０のフレーム部材３への取り付けが容易であるとともに、取付具６０はフレーム幅で壁を固定することができる。
【００４８】
また、各格子は正方形を形成し、取付具６０は、連接方向を格子の縦方向としても、横方向としてもフレーム３０に取り付け可能である。これにより、取付具６０の壁への設置位置をさらに柔軟に設定することができる
また、取付具６０は、フレーム部材３を壁に固定するための取付具６１，６２，６３，６４と、表示装置２をフレーム部３に取り付けるための取付具７１，７２と、を備え、取付具７１，７２の一対の対向面であるフレーム当接面６０１及び６０２それぞれは、取付孔３０１及び６１４を介してフレーム３０にネジ止めされるとともに、取付具７１，７２の連設面である壁当接面６０２は、取付孔６１１〜６１３を介して表示装置２の裏面にネジ止めされる。これにより、取付具７１，７２を用いて、表示装置２をフレーム部材３に確実に取り付けることができる。また、同一構成の取付具６０を用いて、表示装置２をフレーム部材３に取り付けることができるとともに、フレーム部材３を壁に固定することができるので、ユニット型壁システム１の構成部品の種類を減らすことができる。
【００４９】
また、フレームに着脱可能な格子状の複数のパネル５０を備える。これにより、ユニット型の壁を形成することができる。
【００５０】
また、本実施の形態のユニット型壁システム１の別の態様によれば、表示装置を取り付けるためのユニット型壁システムであって、格子状の複数のフレーム３０を組み合わせることによって形成されるフレーム部材３と、フレーム部材３に取り付けられるとともに、壁に固定される複数の取付具６０Ａ，Ｂと、を備え、複数のフレーム３０の各辺それぞれには、所定の間隔ごとに、隣接するフレーム同士を組み合わせるための取付孔３０１が複数形成され、取付具６０Ａ，Ｂは、Ｌ字状に屈曲した形状を有する部材であり、取付具６０Ａ，Ｂの一端を有する面には、フレーム３０に取り付けられるための取付孔６１４が形成され、取付具６０Ａ，Ｂの他端を有する面には、長手方向に伸長した長孔形状の取付孔６１１，６１３が形成され、取付具６０Ａ，Ｂは、取付孔３０１及び取付孔６１４を介して所定のフレーム３０にネジ止めされるとともに、取付孔６１１，６１３を介して前記壁にネジ止めされる。この場合にも、短時間で容易に作業が行えるとともに、固定位置に柔軟性を持たせて、確実に壁に固定することができる、表示装置を取り付けるためのユニット型壁システムを提供することができる。
【００５１】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【図面の簡単な説明】
【００５２】
【図１】本発明の実施の形態に係るユニット型壁システムの正面図である。
【図２】図１の状態からパネル部材を取り外した状態におけるユニット型壁システムの正面図である。
【図３】図２の状態から外枠を外した状態におけるユニット型壁システムの右側面図である。
【図４】本発明の実施の形態に係るユニット型壁システムのフレーム部材及び取付部材の分解斜視図である。
【図５】本発明の実施の形態に係るユニット型壁システムのフレーム部材及び取付部材の上面図であり、取付部材をフレーム部材３に取り付けた状態を示す図である。
【図６】本発明の実施の形態に係るユニット型壁システムの取付具の上面図、正面図及び側面図である。
【図７】本発明の実施の形態に係るユニット型壁システムのフレーム部材の一部である２つのフレームと、当該フレームに取り付けられる取付具の外観斜視図である。
【図８】本発明の実施の形態に係るユニット型壁システムの取付具の別の取り付け方を示す図である。
【図９】本発明の実施の形態に係るユニット型壁システムの取付具の変形例の構成を示す図である。
【図１０】本発明の実施の形態に係るユニット型壁システムの取付具の変形例の構成を示す図である。
【図１１】図１０に示す取付具の設置可動域を説明する図である。
【図１２】本発明の実施の形態に係るユニット型壁システムに自立補強部材を加えた場合の構成を示す図である。
【図１３】本発明の実施の形態に係るユニット型壁システムに自立補強部材を加えた場合の構成を示す図である。
【符号の説明】
【００５３】
１  ユニット型壁システム
２  表示装置
３  フレーム部材
４  外枠
５  パネル部材
６  取付部材
９  自立補強部材
３０，３１，３２，３３，３４，３５，３６  フレーム
５０  パネル
６０，６１，６２，６３，６４，７１，７２，６０Ａ，６０Ｂ，６０Ｃ  取付具
３０１，６１１，６１２，６１３，６１４，６１４Ａ  取付孔
６０１，６０２  フレーム当接面
６０３  壁当接面
８１ａ，８１ｂ，８２  ネジ
【図１】
2010063650.tif 000003
【図２】
2010063650.tif 000004
【図３】
2010063650.tif 000005
【図４】
2010063650.tif 000006
【図５】
2010063650.tif 000007
【図６】
2010063650.tif 000008
【図７】
2010063650.tif 000009
【図８】
2010063650.tif 000010
【図９】
2010063650.tif 000011
【図１０】
2010063650.tif 000012
【図１１】
2010063650.tif 000013
【図１２】
2010063650.tif 000014
【図１３】
2010063650.tif 000015